(57)【要約】【課題】特定の人物が出演した記録済の番組情報を容易に把握すると共に、その番組情報を視聴できるか否かを把握する情報機器を提供する。【解決手段】コンテンツを記録するコンテンツ記録手段と、人物を特定する人物特定情報を記録する人物特定情報記録手段と、コンテンツに付随するコンテンツ情報に人物特定情報と一致する情報が含まれるとき、人物特定情報とコンテンツ情報に含まれるコンテンツを特定するコンテンツ特定情報とを関連付けて表示する表示手段と、表示手段により表示されたコンテンツ特定情報を選択する選択手段と、選択手段によりコンテンツ特定情報を選択したとき、コンテンツを再生する再生手段とを備える。【選択図】図３
2014086926.tif 000002
【特許請求の範囲】
【請求項１】
コンテンツを記録するコンテンツ記録手段と、
人物を特定する人物特定情報を記録する人物特定情報記録手段と、
前記コンテンツに付随するコンテンツ情報に前記人物特定情報と一致する情報が含まれるとき、前記人物特定情報と前記コンテンツ情報に含まれる前記コンテンツを特定するコンテンツ特定情報とを関連付けて表示する表示手段と、
前記表示手段により表示された前記コンテンツ特定情報を選択する選択手段と、
前記選択手段により前記コンテンツ特定情報を選択したとき、前記コンテンツを再生する再生手段とを備えることを特徴とする情報機器。
【請求項２】
前記人物特定情報は、前記人物の人物名であることを特徴とする請求項１記載の情報機器。
【請求項３】
前記人物特定情報は、前記人物の顔画像であることを特徴とする請求項１記載の情報機器。
【請求項４】
前記人物特定情報は、前記人物が属するグループであることを特徴とする請求項１記載の情報機器。
【請求項５】
前記表示手段は、前記グループと前記コンテンツ特定情報とを関連付けて表示するとき、前記グループに属する人物の人物名を一覧表示することを特徴とする請求項４記載の情報機器。
【請求項６】
前記表示手段は、前記グループに属する人物に関連するコンテンツを特定するコンテンツ特定情報を一覧表示することを特徴とする請求項４又は５記載の情報機器。
【請求項７】
前記表示手段は、前記人物特定情報により特定される人物の属性を示す属性情報をさらに表示することを特徴とする請求項１から６の何れか１項に記載の情報機器。
【請求項８】
コンテンツを記録するコンテンツ記録処理と、
人物を特定する人物特定情報を記録する人物特定情報記録処理と、
前記コンテンツに付随するコンテンツ情報に前記人物特定情報と一致する情報が含まれるとき、前記人物特定情報と前記コンテンツ情報に含まれる前記コンテンツを特定するコンテンツ特定情報とを関連付けて表示する表示処理と、
表示された前記コンテンツ特定情報を選択する選択処理と、
前記コンテンツ特定情報の選択に基いて前記コンテンツを再生する再生処理とをコンピュータに実行させることを特徴とするプログラム。
【発明の詳細な説明】
【技術分野】
【０００１】
本発明は、コンテンツ情報を容易に把握する情報機器、及びプログラムに関する。
【背景技術】
【０００２】
従来から、ジャンル、チャンネル、出演者等の各電子番組表情報についての視聴者の嗜好に応じて重み付けがなされた嗜好情報を基に、視聴者の嗜好に応じた番組を録画する番組録画再生装置が知られている（特許文献１参照）。
【先行技術文献】
【特許文献】
【０００３】
【特許文献１】特開２００６−８０９７４号公報
【発明の概要】
【発明が解決しようとする課題】
【０００４】
特許文献１に開示された番組録画再生装置においては、視聴者の嗜好に応じた且つ過去に視聴していない番組が、番組録画再生装置の備える記憶媒体の容量の許す限り、順次録画されていくことになる。
【０００５】
ところで、視聴者がある特定の人物が出演する録画済みの番組を視聴したいとき、複数の録画番組の中から、一覧表示される番組名、放送チャンネル及び放送日時をたよりに視聴したい録画番組を選択する。ここで、視聴者が、特定の人物が出演する録画番組を選択する際、上記の一覧表示される番組名等によって、その録画番組に特定の人物が出演していることを認識している場合、その選択は容易である。しかし、視聴者が、上記の一覧表示される番組名等によっては、録画番組に特定の人物が出演していることを認識していない場合、視聴者は、その録画番組を一旦再生して、特定の人物が出演しているかを確認したり、あるいは操作により別表示される録画番組の出演者情報を確認したりして、目的の録画番組の視聴を行うことになり、煩わしい。このことは、多チャンネル化が進んで放送される番組が増えることにより、また、装置が備える記憶媒体の容量が大きくなることにより、録画される番組数が増えていくにつれて顕著になってくる。
【０００６】
本発明は、このような実情に鑑みてなされたものであって、特定の人物が出演した記録済の番組情報を容易に把握すると共に、その番組情報を視聴できるか否かを把握する情報機器を提供することを目的とする。
【課題を解決するための手段】
【０００７】
上記の課題を解決するため、本発明の情報機器は、コンテンツを記録するコンテンツ記録手段と、人物を特定する人物特定情報を記録する人物特定情報記録手段と、コンテンツに付随するコンテンツ情報に人物特定情報と一致する情報が含まれるとき、人物特定情報とコンテンツ情報に含まれるコンテンツを特定するコンテンツ特定情報とを関連付けて表示する表示手段と、表示手段により表示されたコンテンツ特定情報を選択する選択手段と、選択手段によりコンテンツ特定情報を選択したとき、コンテンツを再生する再生手段とを備えることを特徴とする。
【発明の効果】
【０００８】
本発明によれば、特定の人物が出演した記録済の番組情報を容易に把握すると共に、その番組情報を視聴できるか否かを把握することが可能となる。
【図面の簡単な説明】
【０００９】
【図１】本発明の実施形態の情報機器における機能ブロックを表す模式図である。
【図２】本発明の実施形態の情報機器におけるコンテンツ記録部及び人物特定情報記録部の機能ブロックを表す模式図である。
【図３】本発明の実施形態の情報機器の表示画面の表示例を表す模式図である。
【図４】本発明の他の実施形態の情報機器の表示画面の表示例を表す模式図である。
【図５】本発明の実施形態の情報機器における処理手順を表すフローチャートである。
【発明を実施するための形態】
【００１０】
本発明の実施形態の情報機器について図面を用いて以下説明する。なお、本実施形態については、テレビ放送受信チューナを搭載したパーソナルコンピュータ（ＰＣ）に内蔵されるハードディスク等の記憶装置に放送番組を記録する構成を例として説明しているが、本発明はこれに限定されず、例えば、所謂クラウドコンピューティング技術を利用して、放送局やプロバイダ側に設置されたサーバに記憶された番組をネットワーク通信を介して受信したものを視聴するシステム構成をとるものであってもよい。また、情報機器としては、ＰＣに限定されず、スマートフォンなどの携帯情報端末や地上波デジタル放送に対応した家庭用テレビジョンであってもよい。
【００１１】
また、本実施形態においては、上述の通り、自動的に情報機器の記憶装置に記録された放送番組を再生する構成を例として説明しているが、本発明はこれに限定されず、例えば、ＤＶＤやブルーレイディスク等に記録された動画コンテンツや静止画コンテンツを再生する構成を組み合わせたりするものであってもよい。
【００１２】
本実施形態の情報機器１の機能ブロックについて図１を用いて説明する。本実施形態の情報機器１は、送受信部１１と、コンテンツ記録部１２と、人物特定情報記録部１３と、表示部１４と、選択部１５と、電子番組表記録部１６と、再生部１７と、制御部１８と、Ｉ／Ｆ１９と、内部バス２０で構成される。
【００１３】
送受信部１１は、放送局と接続されるテレビ放送チューナである。送受信部１１において、放送局から放送番組コンテンツや、これに付随する番組情報を受信する。付随する番組情報とは、例えば放送波と共に送信される電子番組表（ＥＰＧ）データ等である。本実施形態において、情報機器１と放送局との接続は、有線又は無線のいずれによるものであってもよい。
【００１４】
コンテンツ記録部１２は、受信した放送番組コンテンツを記録（録画）する、例えばＨＤＤなどの大容量記録装置である。コンテンツ記録部１２の容量が大きいほど、より多くの放送番組コンテンツを記録することができることは言うまでもない。コンテンツ記録部１２の詳細については後述する。
【００１５】
人物特定情報記録部１３は人物特定情報を記録する。人物特定情報とは、文字通り人物を特定する情報であり、例えば、上述した放送番組コンテンツに登場する人物の名前であったり、その人物の属するグループであったり、あるいはその人物の顔写真等が該当する。本実施形態においては、視聴者が、予め人物特定情報記録部１３に人物特定情報を登録しておく態様をとるが、これに限定されず、例えば過去に上述した電子番組表データの各番組情報から抽出したものを登録するものであってもよい。
【００１６】
表示部１４は、上述した放送番組コンテンツを後述する再生部１７による再生により情報機器１の表示画面に映し出すことはもちろんであるが、人物の名前を主情報として、この人物が登場（出演）する複数の録画済みの放送番組コンテンツのタイトルを１画面に一覧表示する。一覧表示の詳細については後述する。
【００１７】
選択部１５は、例えば情報機器１の表示画面に映し出された矢印マークに代表される操作アイコン等により画面上の各種アイコンを選択する選択手段である。視聴者は、この操作アイコンをマウスなどの入力デバイスを操作することにより動かし、所望の放送番組のタイトル表示アイコンの枠内に到達したときにマウスの左クリックを押圧することで所望の放送番組を選択する。本実施形態においては、視聴者により放送番組のタイトル表示アイコンが選択されたとき、後述する再生部１７によりその放送番組の再生が開始される。
【００１８】
電子番組表記録部１６は、送受信部１１によって放送番組コンテンツと共に受信した電子番組表データを記録する。電子番組表データには、例えば、各放送番組コンテンツのタイトル、番組内容、出演者、放送時間、放送チャンネル、放送局等の各種情報が含まれている。
【００１９】
再生部１７は、例えば上述した放送番組コンテンツのタイトル表示アイコンの選択処理を受けて、所定の放送番組コンテンツを再生する。
【００２０】
制御部１８には、各種プログラムが格納されたＲＯＭ及び情報機器１を駆動させる際に制御部１８が必要とするパラメータ等を一時的に格納するＲＡＭが内蔵される。制御部１８は、上記ＲＯＭに格納されたプログラムを実行することで、情報機器１を駆動させる。
【００２１】
Ｉ／Ｆ１９は、例えば外付けＨＤＤやＤＶＤレコーダなどの記録装置を接続してデータの入出力を行うインターフェースである。また、内部バス２０は、情報機器１の上述した各構成部を電気的に接続し、制御部１８が他の構成部へアクセスするためや、各構成部間でのデータの移動に使用される。
【００２２】
次に、本実施形態のコンテンツ記録部１２及び人物特定情報記録部１３の詳細について、図２を用いて説明する。コンテンツ記録部１２は、コンテンツ画像記録部１２１及びコンテンツ情報記録部１２２で構成される。コンテンツ画像記録部１２１には放送番組コンテンツが記録される。また、コンテンツ情報記録部１２２には放送番組コンテンツに付随する番組情報が記録される。
【００２３】
また、人物特定情報記録部１３は、人名記録部１３１、グループ記録部１３２及び顔画像記録部１３３で構成される。人名記録部１３１には所定の人物の名前が記録される。また、グループ記録部１３２には、視聴者の設定により、所定の人物が所属するグループのグループ名など、所定の人物がカテゴライズされる属性情報が記録される。なお、グループ記録部１３２には、番組のタイトルの一部に冠されるような著名なグループ名の場合は、電子番組表データから抽出したものが記録されるものであってよい。さらに、顔画像記録部１３３には、所定の人物の顔画像が記録される。
【００２４】
次に、本実施形態の情報機器１の表示画面に表示される画面モードの一例について図３を用いて説明する。本実施形態の画面モード２００において、最上欄には、所定の人物を特定する情報（これを主情報とする。）として、顔画像表示２０１と、人物特定表示２０２（ここでは『Ｎ田敦子』）とが表示される。また、上下に配されたスクロールアイコン２０３に矢印形状の操作アイコン２２８を重ねた状態で、視聴者がマウス等をクリックすることにより、最上欄の表示が遷移する。
【００２５】
例えば、図の例で言えば、スクロールアイコン２０３のクリック前には『Ｎ田敦子』に付随する情報として、『俳優』、『１９９Ｘ年１２月１２日生』の情報が表示されているが、スクロールアイコン２０３のクリックにより、隠れて見えなかった追加の情報が表示される。一方、スクロールアイコン２０３をクリックすることにより、『Ｎ田敦子』から、別の人物を特定する情報に遷移する態様であってもよい。
【００２６】
なお、最上欄の右上には編集アイコン２０４が配され、右端には表示される画面の全表示に対する相対的な表示位置関係を表すスクロールバー２０５が配されている。相対的な表示位置は図の斜線で表すスクロールメータ２０５１により判断する。このスクロールメータ２０５１は、欄に表示される表示内容が増えるほど縦方向の長さが短くなっていく。編集アイコン２０４に上記操作アイコン２２８を重ねた状態でマウスをクリックすると、人物を特定する情報を編集する編集画面が別に表示される。編集画面においては、図示を省略するが、例えば、『Ｎ田敦子』に付随する別の情報を新たに追加したり、新たな人物の情報を追加したり、『Ｎ田敦子』の情報が不要になったときに削除したりできる。
【００２７】
また、本実施形態の画面モード２００において、画面下２／３を占める下欄には、上記の主情報に関連のあるデータが表示される。ここでは、出演シリーズ２１１と、番組情報２２１と、人物の属性を示す人物属性情報２３１等の各欄がフィルタ表示されている。ここでいうフィルタ表示とは、主情報に関連性のあるデータを属性ごとに分類表示する概念をいう。なお、この欄の上下にもスクロールアイコン２１２が配され、このスクロールアイコン２１２の操作により、ここで表示されていない他のフィルタを表示させることができる。さらに、この欄の右端にスクロールバー２１４が配されているが、上述した最上欄におけるスクロールバー２０５と同様の態様であるため、説明を省略する。
【００２８】
視聴者は、各欄の右端に配された三角形状のフィルタ表示アイコン２１３、２２２、２３２によって各欄の詳細内容を表示状態としたり、非表示状態としたりする。つまり、視聴者は、操作アイコン２２８を表示させたいフィルタのフィルタ表示アイコンに重ね合わせてマウスをクリックすることにより、非表示状態から表示状態へ遷移させる。このとき、フィルタ表示アイコンは非表示状態のとき逆三角形状であったものが、三角形状に変化する。
【００２９】
本実施形態の画面モード２００でいえば、出演シリーズ２１１の欄は非表示状態となっているため、詳細内容は表示されず『出演シリーズ（１／１）』のみが帯表示されており、フィルタ表示アイコン２１３は逆三角形状である。
【００３０】
一方、番組情報２２１の欄は表示状態となっており、詳細内容として『Ｎ田敦子』の出演する『Ｎるほど・ザ・ハイスクール』の番組表示アイコン２２４と『季刊ＮＫＢ』の番組表示アイコン２２５とが、『出演番組（１０／１０件）』の帯表示とともに表示され、フィルタ表示アイコン２２２は三角形状である。
【００３１】
なお、『Ｎるほど・ザ・ハイスクール』の番組表示アイコン２２４の右上には、この番組が視聴可能であることを示す再生可能表示アイコン２２６が表示され、『季刊ＮＫＢ』の番組表示アイコン２２５の右上には、この番組が録画中であることを示す録画表示アイコン２２７が表示されている。
【００３２】
また、番組情報２２１の欄には、上記『Ｎるほど・ザ・ハイスクール』及び『季刊ＮＫＢ』の２番組のみが表示されているが、残り８件の番組情報については、欄の左右に配されたスクロールアイコン２２３を上述と同様に操作して左右方向にスクロールさせることにより表示させることができる。ここでは、録画中の『季刊ＮＫＢ』の番組表示アイコン２２５が末端表示であるため、欄下に配されたスクロールバー２２９のスクロールメータ２２９１が一番右端に表示される。
【００３３】
視聴者が、マウスを操作して操作アイコン２２８を番組表示アイコン２２４に重ねた状態で、マウスを左クリックにより選択することで『Ｎるほど・ザ・ハイスクール』の再生が開始される。また、『季刊ＮＫＢ』については、未だ録画中であるが、上記と同様に選択することで、選択するまでに録画されていた内容を視聴する、所謂『追っかけ再生』をすることもできる。
【００３４】
さらに、人物属性情報２３１の欄は表示状態となっており、詳細内容として『Ｎ田敦子』が所属する『ＮＫＢ３７』のグループ表示アイコン２３４が『グループ（１／１件）』の帯表示とともに表示され、フィルタ表示アイコン２３２は三角形状である。また、本欄においても左右にスクロールアイコン２３３が表示されているが、本欄におけるグループデータは『ＮＫＢ３７』のみであるため、スクロールアイコン２３３を操作しても表示内容は変化せず、スクロールバーは表示されない。なお、仮に『Ｎ田敦子』が複数の異なるグループに属している場合は、『ＮＫＢ３７』のグループ表示アイコン２３４に加えて、異なるグループ名のグループ表示アイコンが表示される。これにより、ユーザーは特定の人物が所属するグループのグループ名を網羅的に把握することができる。なお、人物属性情報２３１は上記グループに限定されず、例えば人物がタレントであれば所属事務所等であってもよい。
【００３５】
なお、本実施形態においては、主情報が上述した人物の名前としての『Ｎ田敦子』であるが、これを上述した編集アイコン２０４により、人物属性情報２３１としてのグループ名『ＮＫＢ３７』に変更することも可能である。この場合は、『Ｎ田敦子』が出演する番組に関わらず、『ＮＫＢ３７』に属する他のメンバーが出演する番組表示が番組情報の欄に表示される。
【００３６】
また、上述のように主情報を『Ｎ田敦子』から『ＮＫＢ３７』に変更した場合に、『ＮＫＢ３７』に所属する『Ｎ田敦子』を含むメンバーの名前を、図４における他の実施形態に係る画面モード３００に示すように一覧表示させてもよい。図４のについて、上述した図３の説明に準じて具体的に説明するが、図３と重複する内容については省略する。
【００３７】
図４における他の実施形態に係る画面モード３００において、最上欄にはグループ名情報３０１として『ＮＫＢ３７』が表示される。なお、『ＮＫＢ３７』に付随する情報として『ＮＫＢ３７』のグループ属性を示す『アイドルグループ』及び『ＮＫＢ３７』の結成年度を示す『２００Ｘ年結成』が表示される。
【００３８】
また、図４における他の実施形態に係る画面モード３００において、画面下の約２／３を占める欄には、出演シリーズ３１１と、番組情報３２１と、人物情報３３１等の各欄がフィルタ表示されている。番組情報３２１については図３の説明と概ね同様であるが、本実施形態では主情報であるグループ名で特定されるグループが出演する番組の番組表示アイコンが表示される。また、グループが出演する番組の番組情報表示アイコンに加えて、グループに所属するメンバーが出演する番組の番組表示アイコンを表示するようにしてもよい。これにより、グループ名では特定できない番組の番組表示アイコンも表示されるので、ユーザーは関連する番組情報を網羅的に把握することができる。
【００３９】
さらに、人物情報３３１には、『ＮＫＢ３７』に所属するメンバーのメンバー名が『メンバー（１０／１０件）』の帯表示とともに一覧表示される。ここでは、『ＮＫＢ３７』に所属するメンバーである『Ｎ田敦子』のメンバー名情報アイコン３３４と、『志Ｎ田まり子』のメンバー名情報アイコン３３５と、『渡Ｎ部真由』のメンバー名情報アイコン３３６が表示される。なお、本実施形態において、人物情報３３１に表示されるメンバー名情報アイコンとして、『ＮＫＢ３７』に所属する全メンバーのメンバー名情報アイコンを一覧表示してもよい。一方、上述した番組情報３２１の欄に表示された番組表示アイコンで特定される番組に出演するメンバーのメンバー名情報アイコンだけを一覧表示してもよい。『ＮＫＢ３７』に所属するメンバーであっても、番組に出演していないメンバーは表示させないことで、ユーザーは番組に出演するメンバー情報のみを確実に把握することができる。
【００４０】
続いて、本実施形態の情報機器１における処理手順について図５を用いて説明する。まず、『おまかせ録画』等の自動録画機能により、複数の放送番組コンテンツが順次、コンテンツ記録部１２に記録される（ステップＳ１）。例えば、上述の例で言えば、『Ｎ田敦子』の出演する『Ｎるほど・ザ・ハイスクール』と『季刊ＮＫＢ』を含む放送番組コンテンツが順次記録されていく。
【００４１】
次に、人物を特定する情報を人物特定情報記録部１３に記録（登録）する。例えば、上述の例で言うと、人物の名前としての『Ｎ田敦子』、『Ｎ田敦子』の顔画像、及び『ＮＫＢ３７』を記録（登録）する（ステップＳ２）。
【００４２】
次に、制御部１８により、記録された放送番組コンテンツに付随するコンテンツ情報としての番組情報と、人物特定情報記録部１３に記録された人物特定情報とを照合し、番組情報中に人物特定情報と一致する情報が含まれるか否かを判定する（ステップＳ３）。例えば、『Ｎるほど・ザ・ハイスクール』の番組情報中に『Ｎ田敦子』の名前があるか否かを判定するのである。上述の番組情報中に人物特定情報と一致する情報が含まれるとき（ステップＳ３、Ｙｅｓ）、次のステップＳ４へ進む。
【００４３】
次に、表示部１４により、人物特定情報とコンテンツ情報としての番組情報に含まれる番組のタイトル名（コンテンツ特定情報）とが関連付けて情報機器１の表示画面に表示される（ステップＳ４）。つまり、上述した図３のように表示される。
【００４４】
視聴者は、選択部１５を介して、コンテンツ特定表示としての番組のタイトル名を表す番組表示アイコンを選択する（ステップＳ５）。例えば、『Ｎるほど・ザ・ハイスクール』の番組表示アイコン２２４を選択する。
【００４５】
番組表示アイコン２２４の選択を受け、再生部１７により『Ｎるほど・ザ・ハイスクール』の再生が開始される（ステップＳ６）。
【００４６】
一方、番組情報中に人物特定情報と一致する情報が含まれないとき（ステップＳ３、Ｎｏ）、ステップＳ３の処理を再び繰り返す。
【００４７】
上述したように、本実施形態によれば、人物特定情報とコンテンツ特定情報とを関連付けて表示させることができるので、おまかせ録画等で複数の番組が大量に記録されても、視聴者は特定の人物が出演する番組情報を容易に把握することが可能となり、さらに特定の人物が出演する番組をすばやく再生することが可能となる。
【００４８】
なお、上述する各実施の形態は、本発明の好適な実施の形態であり、本発明の要旨を逸脱しない範囲内において種々変更実施が可能である。例えば、上記機能は、アセンブラ、Ｃ言語などのプログラミング言語などで記述されたコンピュータ実行可能なプログラムにより実現することができる。
【００４９】
また、上述した本実施形態では、人物特定情報としての人物名やグループ名と一致する情報が含まれる所望の番組情報を表示した態様を説明しているが、本発明はこれに限定されず、例えば記録された放送番組コンテンツについて画像認識処理を施して抽出した特定の人物の顔画像と、人物特定情報として記録された顔写真等を照合して一致した放送番組コンテンツに関する番組情報を表示させることとしてもよい。
【符号の説明】
【００５０】
１    情報機器
１１    送受信部
１２    コンテンツ記録部
１３    人物特定情報記録部
１４    表示部
１５    選択部
１６    電子番組表記録部
１７    再生部
１８    制御部
１９    Ｉ／Ｆ
２０    内部バス
１２１    コンテンツ画像記録部
１２２    コンテンツ情報記録部
１３１    人名記録部
１３２    グループ記録部
１３３    顔画像記録部
２００、３００    画面モード
２０１    顔画像表示
２０２    人物特定表示
２０３、２１２、２２３、２３３、３０３、３１２、３２３、３３３    スクロールアイコン
２０４、３０４    編集アイコン
２０５、２１４、２２９、３０５、３１４、３２９    スクロールバー
２１１、３１１    出演シリーズ
２１３、２２２、２３２、３１３、３２２、３３２    フィルタ表示アイコン
２２１、３２１    番組情報
２２４、２２５、３２４、３２５    番組表示アイコン
２２６、３２６    再生可能表示アイコン
２２７、３２７    録画表示アイコン
２２８、３２８    操作アイコン
２３１    人物属性情報
２３４    グループ表示アイコン
３０１    グループ名情報
３３１    人物情報
３３４、３３５、３３６    メンバー名情報アイコン
２０５１、２１４１、２２９１、３０５１、３１４１、３２９１    スクロールメータ
【図１】
2014086926.tif 000003
【図２】
2014086926.tif 000004
【図３】
2014086926.tif 000005
【図４】
2014086926.tif 000006
【図５】
2014086926.tif 000007